(57)【要約】【課題】給送トレイにシートをセットする際の作業性を向上することができるシート搬送装置及び画像記録装置を提供する。【解決手段】シート搬送装置３は、装置本体２と、背面給送トレイ５と、給送ローラ７１と、給送ローラアーム７２と、レバー７４と、第１カバー６１と第２カバー６２と押圧片６３とを有する防塵カバー６とを備え、第２カバー６２が第１位置にあるときに、押圧片６３はレバー７４を押圧せずに給送ローラ７１が当接位置に変位し、第２カバー６２が第２位置にあるときに、押圧片６３はレバー７４を押圧して給送ローラ７１が離間位置に変位する。【選択図】図５
2018165212.tif 000002
【特許請求の範囲】
【請求項１】
装置本体と、
前記装置本体に第１回動軸を中心として回動可能に支持され、前記装置本体に近接する閉位置と前記装置本体から離間する開位置との間で変位可能であって、シートを支持するシート支持面を有する給送トレイと、
前記給送トレイに支持された前記シートを前記装置本体内に給送する給送ローラと、
前記給送ローラを支持し、前記装置本体に前記第１回動軸と平行な第２回動軸を中心として回動可能に支持され、前記給送ローラが前記給送トレイに当接する当接位置と、前記給送ローラが前記給送トレイから離間する離間位置との間で変位可能な給送ローラアームと、
前記給送ローラアームに設けられ、前記第２回動軸を中心として前記給送ローラアームと一体的に回動可能なレバーと、
前記装置本体に前記第１回動軸と平行な第３回動軸を中心として回動可能に支持される第１カバーと、前記第１カバーに前記第３回動軸と平行な第４回動軸を中心として回動可能に支持され、前記給送トレイに近接する第１位置と前記給送トレイから離間する第２位置との間で変位可能な第２カバーと、前記第２カバーに設けられ、前記第４回動軸を中心として前記第２カバーと一体的に回動可能であり、前記レバーを押圧する押圧片とを有し、前記給送トレイの前記シート支持面を覆う防塵カバーと、
を備え、
前記第２カバーが第１位置にあるときに、前記押圧片は前記レバーを押圧せずに前記給送ローラが前記当接位置に変位し、前記第２カバーが第２位置にあるときに、前記押圧片は前記レバーを押圧して前記給送ローラが前記離間位置に変位する、
ことを特徴とするシート搬送装置。
【請求項２】
前記第１カバー及び前記第２カバーは、前記給送トレイの前記シート支持面に対向して配置される主カバーと、前記主カバーの両側部に設けられ、前記主カバーから前記給送トレイ側へ向けて延出する側部カバーとを有している、
ことを特徴とする請求項１に記載のシート搬送装置。
【請求項３】
前記給送トレイは、前記シートの給送方向と直交する方向である幅方向へ移動可能であり、前記給送トレイに支持された前記シートの前記幅方向の位置を規制する一対のサイドガイドを備え、
前記側部カバーは、互いの離間寸法が最も大きくなる位置にある一対の前記サイドガイドよりも、前記幅方向の外側に配置される、
ことを特徴とする請求項２に記載のシート搬送装置。
【請求項４】
前記側部カバーは、前記給送トレイにおける前記シート支持面の前記幅方向の端部よりも内側に配置される、
ことを特徴とする請求項２又は請求項３に記載のシート搬送装置。
【請求項５】
前記第１カバー及び前記第２カバーのうち、少なくとも前記第２カバーが透明部材にて形成されている、
ことを特徴とする請求項１〜請求項４の何れか一項に記載のシート搬送装置。
【請求項６】
請求項１〜請求項５の何れか一項に記載のシート搬送装置と、前記シート搬送装置により搬送される前記シートに画像を記録する画像記録部とを備える、
ことを特徴とする画像記録装置。
【発明の詳細な説明】
【技術分野】
【０００１】
本発明は、シートを支持する給送トレイが装置本体に設けられたシート搬送装置及び画像記録装置に関する。
【背景技術】
【０００２】
従来、シートを支持する給送トレイが装置本体の背面に設けられ、前記給送トレイが支持するシートを装置本体内の画像記録部に搬送し、画像記録部に搬送されたシートに画像を記録する画像記録装置が知られている（特許文献１参照）。
また、シートを支持する給送トレイを備えた画像記録装置においては、装置本体における給送トレイが設けられた部分の開口部から装置本体内に砂塵等の異物が侵入することを防ぐために、給送トレイのシート支持面を覆う防塵カバーが設けられたものがある（特許文献２参照）。
【０００３】
特許文献１に記載される画像記録装置は、給送トレイに支持されたシートを装置本体内へ向けて給送する給送ローラを備えている。給送ローラは、回動軸を中心として回動可能な給送ローラアームの先端部に取り付けられており、給送ローラアームが前記回動軸を中心として回動することにより、給送ローラが給送トレイのシート支持面に当接する当接位置と、シート支持面から離間する離間位置との間で変位可能に構成されている。給送ローラアームは、給送ローラが給送トレイのシート支持面に当接する側へ付勢されており、給送ローラアームには当接位置にある給送ローラを離間位置に変位させるためのレバーが設けられている。
【先行技術文献】
【特許文献】
【０００４】
【特許文献１】特開２０１４−２０９７１０号公報
【特許文献２】特開２００５−８６６４０号公報
【発明の概要】
【発明が解決しようとする課題】
【０００５】
特許文献１に記載される画像記録装置においては、給送トレイにシートをセットする場合、給送ローラがシート支持面に当接したままの状態であると、給送ローラとシート支持面との間にシートを差し込む際に、シートに折れや曲りが生じるおそれがある。このシートに生じる折れや曲りは、特にセットするシートの枚数が１〜２枚程度の少数である場合に顕著である。
従って、給送トレイにシートをセットする場合は、ユーザが給送ローラアームのレバーを操作して給送ローラを離間位置に変位させた状態で、給送ローラとシート支持面との間にシートを差し込む必要があり、給送トレイにシートをセットする際の作業が煩雑であった。
【０００６】
また、特許文献２に記載される画像記録装置のように、給送トレイに防塵カバーが設けられた画像記録装置においては、給送ローラアームのレバーが防塵カバーに遮られて視認しにくくなるため、給送トレイにシートをセットする際の作業性が悪かった。
【０００７】
そこで、本発明においては、給送トレイに防塵カバーが設けられたシート搬送装置及び画像記録装置において、給送トレイにシートをセットする際の作業性を向上することができるシート搬送装置及び画像記録装置を提供するものである。
【課題を解決するための手段】
【０００８】
上記課題を解決するシート搬送装置及び画像記録装置は、以下の特徴を有する。
即ち、シート搬送装置は、装置本体と、前記装置本体に第１回動軸を中心として回動可能に支持され、前記装置本体に近接する閉位置と前記装置本体から離間する開位置との間で変位可能であって、シートを支持するシート支持面を有する給送トレイと、前記給送トレイに支持された前記シートを前記装置本体内に給送する給送ローラと、前記給送ローラを支持し、前記装置本体に前記第１回動軸と平行な第２回動軸を中心として回動可能に支持され、前記給送ローラが前記給送トレイに当接する当接位置と、前記給送ローラが前記給送トレイから離間する離間位置との間で変位可能な給送ローラアームと、前記給送ローラアームに設けられ、前記第２回動軸を中心として前記給送ローラアームと一体的に回動可能なレバーと、前記装置本体に前記第１回動軸と平行な第３回動軸を中心として回動可能に支持される第１カバーと、前記第１カバーに前記第３回動軸と平行な第４回動軸を中心として回動可能に支持され、前記給送トレイに近接する第１位置と前記給送トレイから離間する第２位置との間で変位可能な第２カバーと、前記第２カバーに設けられ、前記第４回動軸を中心として前記第２カバーと一体的に回動可能であり、前記レバーを押圧する押圧片とを有し、前記給送トレイの前記シート支持面を覆う防塵カバーと、を備え、前記第２カバーが第１位置にあるときに、前記押圧片は前記レバーを押圧せずに前記給送ローラが前記当接位置に変位し、前記第２カバーが第２位置にあるときに、前記押圧片は前記レバーを押圧して前記給送ローラが前記離間位置に変位する。
【発明の効果】
【０００９】
本発明によれば、シートを給送トレイにセットする際の作業性を向上することが可能となる。
【図面の簡単な説明】
【００１０】
【図１】複合機を示す斜視図である。
【図２】背面給送トレイ及び防塵カバーを示す斜視図である。
【図３】背面給送トレイが閉位置に変位した状態のシート搬送装置を示す側面断面図である。
【図４】背面給送トレイが開位置に変位するとともに、第２カバーが第１位置変位した状態のシート搬送装置を示す側面断面図である。
【図５】背面給送トレイが開位置に変位するとともに、第２カバーが第２位置に変位した状態のシート搬送装置を示す側面断面図である。
【図６】第１カバーをシートの給送方向における上流側から見た断面面である。
【発明を実施するための形態】
【００１１】
次に、本発明を実施するための形態を、添付の図面を用いて説明する。
【００１２】
[複合機の概略構成]
図１に示す複合機１は、本発明に係る画像記録装置を備えた複合機の一実施形態であり、下部に備えられた前記画像記録装置の一例としてのプリンタ部Ｐと、プリンタ部Ｐの上方に配置されたスキャナ部Ｓとを一体的に備えている。複合機１は、プリンタ機能、スキャナ機能、コピー機能、及びファクシミリ機能等を有しており、プリンタ機能を有するプリンタ部Ｐは、インクジェット記録方式のプリンタに構成されている。
以下の説明では、図１に示すように、複合機１が使用可能に設置された状態を基準として、前後方向、左右方向、上下方向の各方向を規定する。
【００１３】
プリンタ部Ｐにおいては、複合機１に接続されたコンピュータ、デジタルカメラ及びＵＳＢメモリ等の外部機器、並びに複合機１に装着されたメモリーカード等の各種記憶媒体から入力される画像データ等に基づいて、記録用紙等のシート１８（図２参照）に画像等を記録する。
【００１４】
プリンタ部Ｐは略直方体状に形成される装置本体２を有しており、装置本体２の前面における左右中央部には開口部４が形成されている。開口部４内には、シート１８を略水平な姿勢で支持する前面給送トレイ２０及び前面給送トレイ２０の上面に形成される排出トレイ２１が設けられている。また、装置本体２の前面には、複合機１の状態や機能等を表示する表示部及び複合機１に対する入力操作を行う操作部を有した操作パネル２２が設けられている。
【００１５】
装置本体２の後面には、シート１８を支持する背面給送トレイ５が設けられている。装置本体２は、前面給送トレイ２０及び背面給送トレイ５に支持されているシート１８に画像等を記録する記録部２４を収容している。
プリンタ部Ｐは、背面給送トレイ５に支持されるシート１８を記録部２４へ搬送するためのシート搬送装置３を備えている。
【００１６】
[シート搬送装置の構成]
図２〜図５に示すように、シート搬送装置３は、装置本体２と、背面給送トレイ５と、給送ローラ７１と、給送ローラアーム７２と、レバー７４と、防塵カバー６と、を備えている。背面給送トレイ５は、装置本体２に第１回動軸５ａを中心として回動可能に支持され、シート１８を支持するシート支持面５１を有している。給送ローラ７１は、背面給送トレイ５に支持されたシート１８を装置本体２内に給送するローラ部材である。
【００１７】
給送ローラアーム７２は、給送ローラ７１を回転可能に支持し、装置本体２に第１回動軸５ａと平行な第２回動軸７２ａを中心として回動可能に支持されるアーム部材である。レバー７４は、給送ローラアーム７２に設けられている。防塵カバー６は、背面給送トレイ５のシート支持面５１を覆うカバー部材である。背面給送トレイ５は、装置本体２に第１回動軸５ａを中心として回動可能に支持される給送トレイの一例である。
【００１８】
シート搬送装置３は、背面給送トレイ５に支持されるシート１８を給送ローラ７１により一枚ずつ装置本体２内へ向けて給送する装置である。シート１８は、背面給送トレイ５の下端部に形成される給送口７５を通じて背面給送トレイ５から装置本体２内へ給送される。
【００１９】
背面給送トレイ５は、第１回動軸５ａを中心として回動することにより、装置本体２に近接する閉位置（図３に示す位置）と、装置本体２から離間する開位置（図４に示す位置）との間で変位可能に構成されている。背面給送トレイ５が開位置にあるときに上側に位置する面がシート１８を支持するシート支持面５１に構成されている。
【００２０】
シート支持面５１には、左右方向に移動可能であり、シート１８の幅方向の位置を規制する一対のサイドガイド５２が設けられている。シート搬送装置３においては、シート支持面５１に支持されるシート１８の幅方向のサイズに応じてサイドガイド５２を左右方向に移動させることで、シート幅が異なる複数種類のシート１８をシート支持面５１に支持することが可能となっている。なお、シート搬送装置３においては、シート支持面５１に支持されているシート１８の面に沿う方向であり、且つ搬送方向と直交する方向が左右方向であり、シート１８の左右方向が幅方向である。
【００２１】
給送ローラアーム７２は、第２回動軸７２ａを中心として回動することにより、給送ローラ７１が背面給送トレイ５のシート支持面５１に当接する当接位置（図４に示す位置）と、給送ローラ７１が背面給送トレイ５のシート支持面５１から離間する離間位置（図５に示す位置）との間で変位可能に構成されている。給送ローラアーム７２は、付勢部材７６により、給送ローラ７１がシート支持面５１に当接する側へ付勢されている。付勢部材７６は、例えば装置本体２と給送ローラアーム７２との間に掛け渡されるトーションバネにて構成されている。
【００２２】
シート搬送装置３は駆動手段であるモータ（不図示）を備えており、給送ローラアーム７２の内部には、前記モータからの駆動力を給送ローラ７１に伝達する駆動力伝達機構としてのギア列７３が配置されている。給送ローラ７１は、ギア列７３を通じて伝達される前記モータからの駆動力により駆動される。
【００２３】
レバー７４は、第２回動軸７２ａを中心として給送ローラアーム７２と一体的に回動可能に構成されている。レバー７４は、第２回動軸７２ａから給送ローラアーム７２が延びる方向とは異なる方向へ突出している。本実施形態においては、レバー７４は、給送ローラアーム７２が延びる方向と略反対の方向へ突出している。
【００２４】
シート搬送装置３においては、レバー７４を押圧して図４における時計回り方向へ回動させることで、給送ローラアーム７２を前記付勢部材７６の付勢力に抗して時計回り方向へ回動させることができる。給送ローラアーム７２は、前記付勢部材７６の付勢力に抗して時計回り方向へ回動することで、当接位置から離間位置へ変位する。
【００２５】
防塵カバー６は、背面給送トレイ５のシート支持面５１を覆うことにより、背面給送トレイ５の給送口７５から装置本体２内に砂塵等の異物が侵入することを抑制するためのカバー部材である。防塵カバー６は、第１カバー６１と、第２カバー６２と、押圧片６３とを有している。
【００２６】
第１カバー６１は、装置本体２に第１回動軸５ａと平行な第３回動軸６１ａを中心として回動可能に支持されている。第２カバー６２は、第１カバー６１に第３回動軸６１ａと平行な第４回動軸６２ａを中心として回動可能に支持されている。押圧片６３は、第２カバー６２に設けられている。
【００２７】
装置本体２は、背面給送トレイ５のシート支持面５１に対向して配置される防塵カバー支持部材２５を有しており、第１カバー６１は、防塵カバー支持部材２５に第３回動軸６１ａを中心として回動可能に支持されている。
【００２８】
第２カバー６２は、背面給送トレイ５が開位置にあるときに第４回動軸６２ａを中心として回動することにより、背面給送トレイ５に近接する第１位置（図４に示す位置）と、背面給送トレイ５から離間する第２位置（図５に示す位置）との間で変位可能に構成されている。第２カバー６２は、背面給送トレイ５が開位置にあるときに、背面給送トレイ５のサイドガイド５２と対向する位置に配置されている。つまり、第２カバー６２は、背面給送トレイ５が開位置にあるときに、サイドガイド５２を全体的に覆う位置に配置されている。
【００２９】
押圧片６３は、第４回動軸６２ａを中心として第２カバー６２と一体的に回動可能に構成されている。
また、押圧片６３は、第２カバー６２が第１位置から第２位置へ変位する際に第２カバー６２と一体的に回動することにより、レバー７４を押圧して給送ローラアーム７２を、すなわち給送ローラ７１を図５における時計回り方向へ回動させることが可能である。
【００３０】
図２、図３、図６に示すように、第１カバー６１は、背面給送トレイ５のシート支持面５１に対向して配置される主カバー６１ｂと、主カバー６１ｂの左右両側部に設けられ、主カバー６１ｂから背面給送トレイ５のシート支持面５１側へ向けて延出する側部カバー６１ｃとを有している。
【００３１】
第２カバー６２も同様に、背面給送トレイ５のシート支持面５１に対向して配置される主カバー６２ｂと、主カバー６２ｂの左右両側部に設けられ、主カバー６２ｂから背面給送トレイ５のシート支持面５１側へ向けて延出する側部カバー６２ｃとを有している。主カバー６２ｂは、シート支持面５１と直交する方向において、シート支持面５１から離間し、かつ背面給送トレイ５が開位置にあるときにサイドガイド５２を全体的に覆う位置に配置されている。
【００３２】
このように、第１カバー６１及び第２カバー６２が、それぞれ側部カバー６１ｃ、６２ｃを有していることで、背面給送トレイ５の側方から装置本体２内に砂塵等の異物が侵入することを抑制することが可能となっている。
【００３３】
第１カバー６１の側部カバー６１ｃ及び第２カバー６２の側部カバー６２ｃは、それぞれ左右方向において、互いの離間寸法が最も大きくなる位置にあるときの一対のサイドガイド５２よりも外側に配置されている。つまり、背面給送トレイ５が支持可能なシート１８のうち、幅方向のサイズが最も大きなシート１８を支持可能な状態にあるときの一対のサイドガイド５２よりも外側に配置されている。側部カバー６１ｃ及び側部カバー６２ｃは、背面給送トレイ５が開位置にあるときに、左右方向からみてサイドガイド５２を全体的に覆う位置に配置されている。
【００３４】
従って、背面給送トレイ５が支持可能な最大の幅サイズのシート１８を支持しているときでも、防塵カバー６により背面給送トレイ５を覆うことが可能となっている。これにより、背面給送トレイ５が何れの幅サイズのシート１８を支持しているときでも、装置本体２内に砂塵等の異物が侵入することを抑制可能である。
【００３５】
また、第１カバー６１の側部カバー６１ｃ及び第２カバー６２の側部カバー６２ｃは、それぞれ左右方向において、背面給送トレイ５におけるシート支持面５１の左右端部よりも内側に配置されている。
これにより、左右方向において、背面給送トレイ５の幅方向端部と側部カバー６１ｃ、６２ｃとの間に隙間が生じることがなく、装置本体２内への砂塵等の異物の侵入を抑制する効果を高めることが可能となっている。
【００３６】
さらに、第１カバー６１の側部カバー６１ｃ及び第２カバー６２の側部カバー６２ｃは、それぞれ背面給送トレイ５が閉位置にあるときと開位置にあるときの両方において、背面給送トレイ５のシート支持面５１に当接している。
これにより、背面給送トレイ５のシート支持面５１と側部カバー６１ｃ、６２ｃの先端部との間に隙間が生じることがなく、装置本体２内への砂塵等の異物の侵入を抑制する効果を高めることが可能となっている。
【００３７】
このように構成されるシート搬送装置３においては、背面給送トレイ５のシート支持面５１に支持されるシート１８が給送ローラ７１により一枚ずつ給送口７５を通じて装置本体２内へ向けて給送される。装置本体２内へ給送されたシート１８は記録部２４まで搬送されて、記録部２４により画像が記録される。
【００３８】
また、シート搬送装置３においては、背面給送トレイ５のシート支持面５１にシート１８をセットする際に、第２カバー６２を第２位置へ変位させて、背面給送トレイ５の上部におけるシート支持面５１と第２カバー６２との間隔を大きくすることができる。これにより、シート１８を背面給送トレイ５の上方からセットし易くすることが可能となっている。
【００３９】
さらに、第２カバー６２を第１位置から第２位置へ変位させた場合、押圧片６３は第４回動軸６２ａを中心に第２カバー６２と一体的に回動してレバー７４を押圧するように構成されている。レバー７４が押圧片６３に押圧されると、給送ローラアーム７２が図５における時計回り方向に回動して、給送ローラ７１が当接位置から離間位置へ変位することとなる。
【００４０】
つまり、第２カバー６２が第１位置にあるときに、押圧片６３はレバー７４を押圧せずに給送ローラ７１が当接位置に変位し、第２カバー６２が第２位置にあるときに、押圧片６３はレバー７４を押圧して給送ローラ７１が離間位置に変位するように構成されている。
【００４１】
このように、第２カバー６２を第１位置から第２位置へ変位させると、押圧片６３がレバー７４を押圧して給送ローラ７１が当接位置から離間位置へ変位し、背面給送トレイ５のシート支持面５１と給送ローラ７１との間に隙間が生じる。従って、ユーザがレバー７４を押圧操作することなく、シート１８をシート支持面５１と給送ローラ７１との間に挿入することができ、シート１８を背面給送トレイ５にセットする際の作業性を向上することが可能となっている。
【００４２】
また、図２に示すように、本実施形態の防塵カバー６においては、第２カバー６２が透明部材にて形成されている。第２カバー６２は背面給送トレイ５が開位置にあるときにサイドガイド５２と対向する位置に配置されている。従って、第２カバー６２を透明部材にて形成することで、ユーザがシート１８を背面給送トレイ５にセットする際に、第２カバー６２を介してサイドガイド５２を視認することが可能となる。これにより、例えば、一対のサイドガイド５２の間隔を、セットするシート１８のサイズに応じた間隔に調整する際の作業性を向上することが可能となっている。
【００４３】
なお、防塵カバー６においては、第２カバー６２のみならず、第１カバー６１も透明部材にて形成することができる。
つまり、防塵カバー６においては、第１カバー６１及び第２カバー６２のうち、少なくとも第２カバー６２が透明部材にて形成されている。
【００４４】
[本実施形態における効果]
本実施形態においては、画像記録装置１は以下のようなシート搬送装置３を備えている。
つまり、シート搬送装置３は、装置本体２と、背面給送トレイ５と、給送ローラ７１と、給送ローラアーム７２と、レバー７４と、第１カバー６１と第２カバー６２と押圧片６３とを有する防塵カバー６とを備えている。そして、第２カバー６２が第１位置にあるときに、押圧片６３はレバー７４を押圧せずに給送ローラ７１が当接位置に変位し、第２カバー６２が第２位置にあるときに、押圧片６３はレバー７４を押圧して給送ローラ７１が離間位置に変位する。
【００４５】
このように構成により、ユーザがレバー７４を押圧操作することなく、シート１８をシート支持面５１と給送ローラ７１との間に挿入することができ、シート１８を背面給送トレイ５にセットする際の作業性を向上することが可能となる。
【００４６】
また、第１カバー６１及び第２カバー６２は、主カバー６１ｂ、６２ｂと、側部カバー６１ｃ、６２ｃと、を有している。そして、主カバー６１ｂ、６２ｂは、背面給送トレイ５のシート支持面５１に対向して配置され、側部カバー６１ｃ、６２ｃは、主カバー６１ｂ、６２ｂの両側部に設けられ、主カバー６１ｂ、６２ｂから背面給送トレイ５側へ向けて延出する。
これにより、背面給送トレイ５の側方から装置本体２内に砂塵等の異物が侵入することを抑制することが可能である。
【００４７】
また、背面給送トレイ５は、シート１８の給送方向と直交する方向である幅方向へ移動可能であり、背面給送トレイ５に支持されたシート１８の幅方向の位置を規制する一対のサイドガイド５２を備えている。そして、側部カバー６１ｃ、６２ｃは、互いの離間寸法が最も大きくなる位置にある一対のサイドガイド５２よりも、幅方向の外側に配置される。
これにより、背面給送トレイ５が何れの幅サイズのシート１８を支持しているときでも、装置本体２内に砂塵等の異物が侵入することを抑制可能である。
【００４８】
また、側部カバー６１ｃ、６２ｃは、背面給送トレイ５におけるシート支持面５１の幅方向の端部よりも内側に配置される。
これにより、左右方向において、背面給送トレイ５の幅方向端部と側部カバー６１ｃ、６２ｃとの間に隙間が生じることがなく、装置本体２内への砂塵等の異物の侵入を抑制する効果を高めることが可能となる。
【００４９】
また、第１カバー６１及び第２カバー６２のうち、少なくとも第２カバー６２が透明部材にて形成されている。
これにより、例えば、一対のサイドガイド５２の間隔を、セットするシート１８のサイズに応じた間隔に調整する際の作業性を向上することが可能である。
【符号の説明】
【００５０】
１    画像記録装置
２    装置本体
３    シート搬送装置
５    背面給送トレイ
５ａ  第１回動軸
６    防塵パネル
１８    シート
２４    記録部
５１    シート支持面
５２    サイドガイド
６１    第１カバー
６１ａ  第３回動軸
６１ｂ  主カバー
６１ｃ  側部カバー
６２    第２カバー
６２ａ  第４回動軸
６２ｂ  主カバー
６２ｃ  側部カバー
６３    押圧片
７１    給送ローラ
７２    給送ローラアーム
７２ａ  第２回動軸
７４    レバー
７５    給送口
Ｐ    プリンタ部
【図１】
2018165212.tif 000003
【図２】
2018165212.tif 000004
【図３】
2018165212.tif 000005
【図４】
2018165212.tif 000006
【図５】
2018165212.tif 000007
【図６】
2018165212.tif 000008